(57)【要約】【課題】  大震災時に大規模停電、水道水の大規模断水が起こった時に特許第４５８７０２０号「非常時用自転車ペリスタルティック（Ｐｅｒｉｓｔａｌｔｉｃ）ポンプ装置」によって汲み上げられたプール用水等を本願発明によってシャワー用水として、支障なく活用すること。【解決方法】  特許第４５８７０２０号「非常時用自転車ペリスタルティックポンプ装置」によって汲み上げられたプール用水等を本願発明の殺菌方法にて殺菌処理して、シャワー用水として課題を達成する。【選択図】図３
2014104460.tif 000002
【特許請求の範囲】
【請求項１】
シャワー用水にする水の上水試験方法による水質検査をすることを特徴としたシャワー用水の製造方法。
【請求項２】
シャワー用水とする水の殺菌方法において高度サラシ粉を使用し、殺菌のためにその濃度が１ｐｐｍの場合は３０分以上攪拌、５ｐｐｍの場合は２３分以上攪拌、１０ｐｐｍの場合は１３分以上攪拌、２０ｐｐｍの場合は１０分以上攪拌、３０ｐｐｍの場合は８分以上攪拌することを特徴としたシャワー用水の製造方法。
【請求項３】
シャワー用水使用時には所定のゴーグルを使用し、各人持参の洗滌水によって当該ゴーグルを洗滌することを特徴としたシャワー用水の使用方法。
【請求項４】
シャワー用水製造の水槽は、シャワー使用所より３ｍ以上高所にあり、その水槽に、より高濃度の高度サラシ粉液を作る装置を付して、それよりその該液をシャワー用水製造槽に送入し、シャワー用水製造槽では請求項２記載の高度サラシ粉濃度液とし、請求項２記載の攪拌時間を経て、シャワー用水として使用することを特徴としたシャワー用水の使用方法。
【請求項５】
シャワー用水製造槽をトイレ用水槽としても共用するために、シャワー時間を設定することを特徴としたシャワー用水の使用方法。
【発明の詳細な説明】
【技術分野】
【０００１】  本発明は平成２３年３月１１日の東日本大震災時のごとき非常時において、大規模停電、大規模断水となった時に本願発明者等による特許第４５８７０２０号「非常時用自転車駆動ペリスタルティック（Ｐｅｒｉｓｔａｌｔｉｃ）ポンプ装置」によって汲み上げられた河川、沼、海水等自然の水及び公立私立の学校等のプール水、ビル等の地下貯水用水等の水を非常時用シャワー用水として特に地方公共団体の大規模避難所のシャワー用水に供する技術に関する。当然のことながら前記以外にシャワー用水があれば、それも使用可能である。
【背景技術】
【０００２】  近年我国においては、平成７年の阪神淡路大震災、平成２３年３月１１日の東日本大震災と歴史的な大震災が続いております。大規模避難所の生活において食料、飲料水の不足は論を待ちませんがトイレ、シャワー等の水の不足が深刻な問題でした。ここで特にプール用水をシャワー用水化することに関しての先願の特許、実用新案の諸技術について記載する。
【特許文献１】  特開平９−７１９７９
【特許文献２】  特開平９−２２１９２６
【特許文献３】  実用新案登録第３０６５６８７号
【特許文献４】  特開２００２−３１６１４８
【特許文献５】  特開２００３−１９０９８９
【特許文献６】  特開２００４−１４８２５６
【特許文献７】  特開２００６−２１８４０１
【発明の開示】
【発明が解決しようとする課題】
【０００３】  しかしながら特許文献１に開示したものは、プール用水を目的に応じた水質の水に分けるよう停電時でも作動可能なエンジン式ポンプを使用し、飲料水製造レベルの濾過機器を使用し濾過するとあるだけで、燃料が無くなれば終わりである。しかるに本願特許は、人間が避難所に居るかぎり継続可能である。特許文献２には、プール水を精密濾過して飲料水にすると記載されているが、精密濾過には高圧化するポンプが必要で、殺菌には何らの記載も無い。特許文献３にはプール等の水源から取水ポンプで濾過だけで飲料水化すると記載されているが、濾過だけで飲料水化するには相当な精密濾過装置が必要であり、殺菌については何ら記載されていない。特許文献４には殺菌を光触媒コーティングの透明ガラス球と紫外線によることが記載されているだけである。特許文献５には微細濾過器による濾過を殺菌は光触媒とオゾンによることが記載されているが、そのようなものは大災害時には存在しない。特許文献６には殺菌消毒は二酸化塩素ガスを適量濾過水に混合して行うと記載されているが、適量の濃度範囲及び殺菌所要時間の開示はない。特許文献７には殺菌、殺藻剤として可溶性ガラスに銀を含有したものが記載されているだけである。【０００４】  大震災時における大規模停電、大規模断水時において、地方公共団体の大規模避難所、即ち１０００人規模のものについては、その公共団体近傍の学校が当てられることが多々ある。学校は大抵プールを所有する。そのプール用水を使用し避難して来た人々にシャワーを提供したい。シャワー用水は子供から老若男女が使用し、時には口に入ったり、目・耳・鼻に入るので、その水質には避難所とはいえ、ある程度のものが要求され、またシャワー装置が必要となる。よって本願発明がなされた。
【課題を解決するための手段】
【０００５】  本発明の目的は以下の各手段及び考え方により達成される。
プールは頻繁に使用されている時はさて置き、冬季の如く長期に渡って使用されない時もある。その間に不届き者による毒物の投入等も考えられるので、まず表１記載の上水試験方法による各項目の調査が必須である。またシアン化物等の毒物の検査も必要である。【０００６】
【表１】
2014104460.tif 000003
【０００７】  水質検査で一応の評価を得たプール用水を図１記載の本願出願者等の特許第４５８７０２０号の装置によりシャワー用水とする。即ち図１のプール３のプール水を自転車駆動ポンプ装置の駆動ドラム２上にて自転車支持部材４に支えられた自転車（図１には書かれていない）を操業してペリスタルテックポンプ１を回転させて濾過材７を付した上部水槽５に送水する。上部水槽５の上部には高度サラシ粉の高濃度液製造槽６を設置し、この槽にて上部水槽中のプール用水が、その水量に適した所定の塩素濃度１乃至３０ＰＰｍになるように計算された高度サラシ粉高濃度液を作って上部水槽５に送水し殺菌効果を上げ殺菌操作を完了する時間（図３に従う）攪拌操作を行った後にシャワー室８に送水される。利用後の排水は排水溝９に流される。【０００８】  ここでプール用水をシャワー用水とするための殺菌方法について説明する。表１に記載の無機物は各検査基準に従って調査すればよい。問題は表１の下段にある一般細菌、大腸菌群と従属栄養細菌である。【０００９】
【表２】
2014104460.tif 000004
【００１０】  表２にある如く、一般細菌のチフス菌、赤痢、コレラ、ブドウ球菌は塩素濃度０．１ｐｐｍで、ジフテリア、脳脊髄膜炎菌は０．１５ｐｐｍで、肺炎双球菌は０．２０ｐｐｍで、大腸菌、溶血性連鎖状菌は０．２５ｐｐｍで大体１５乃至３０秒間で殺菌される。それに反し本願発明者等が調査したところ従属栄養細菌の死滅する殺菌とその所要時間は塩素濃度も高く、所要時間も分単位と非常に長く、しぶとい最強の細菌群であることが分かった。その関係を図２に示す。また細菌名は以下の３種であった。
Ｐｓｅｕｄｏｍｏｎａｓ  ｖｅｓｉｃｕｌａｒｉｓ
Ｐｓｅｕｄｏｍｏｎａｓ  ｃｅｐａｃｉａ
Ａｇｒｏｂａｃｔｅｒｉｕｍ  ｒａｄｉｏｂａｃｔｅｒ【００１１】
【表３】
2014104460.tif 000005
【００１２】  なおシャワー用水は口、目、鼻に入る可能性があるので飲用して味覚官能試験を行った。その結果を表３に記載する。その結果２０ｐｐｍ迄は割合と耐えられるが、３０ｐｐｍでは刺激的となり、飲めないことはなかったが４０ｐｐｍになるとまったく耐えられないことが分かった。【００１３】
【表４】
2014104460.tif 000006
【００１４】
【表５】
2014104460.tif 000007
【００１５】  平成８年１１月３日に長崎市にて行われた、日本薬剤師会学術大会の「プール水、特に細菌検査について」の中で発表された表４記載の推奨「プール水の衛生基準」によれば大腸菌群は検出しないこと、一般細菌は２００個／ｍｌ以下となっている。また同時発表の表５の「プール水の衛生基準」によると、厚生省基準も当時の文部省基準も大腸菌群は陰性又は検出されてはならないと決められているが、一般細菌については厚生省は該当基準無し、文部省は１ｍｌ中２００コロニー以下としている。そこで図２に記載した高度サラシ粉（無水）の５ｐｐｍ乃至３０ｐｐｍの濃度変化と従属栄養細菌の完全死滅迄の所要時間と２００個細菌数迄、存在は許されるとして、そこ迄減衰する所要時間（分）の関係を図３に記載した。この図より例えば高度サラシ粉の濃度を５ｐｐｍとしたら完全に殺菌するためには、所要時間が約１２０分要するが、２００個残留してよいなら約２３分で上部水槽５での攪拌時間はよいことになり、また２０ｐｐｍなら完全死滅には３０分要するが、２００個体迄許されるなら約１０分でよいことになり、シャワー用水の製造時間は大幅に短縮され、作業効率は増大することになる。以上の如く図３からはシャワー用水の製造のための作業予定表が衛生面を満たしながら、合理的に作ることが出来る。もし、従属栄養細菌が１０４（ＣＦｕ／ｍｌ）以上存在する場合には各濃度において、図３の完全死滅曲線以上の殺菌所要時間を比例的に増大して取ればよい。【００１６】
【表６】
2014104460.tif 000008
【００１７】  高度サラシ粉のシャワー用水製作上の安全性については、日本曹達株式会社発行の「農薬時代」第１６２号より抜粋し、表６に記載する。それでもシャワー用水を使用時に目に入ることを恐れて、避難所と云えども、目にゴーグルの使用を義務づけることにする。図１記載の各シャワー室８には、数個づつゴーグルを配置し避難者各人に配付したウォシュレット水、瓶に詰められた本願特許出願者等によって得られた特許第４４３１６８３号による無菌の「１０年水」によって、シャワー室に備えたゴーグルを洗滌の上使用すれば、無益な眼病の万延は防がれる。なお涙液のｐＨは文献（米国ＮＳＰＩのＳＰＡとＰｏｏｌの推奨基準）によれば約７．５なので、表４と表５のプール用水基準が守られれば大丈夫である。また大規模避難所においてプール水をトイレ用水に使用する場合は、少なくとも３ｍ以上上部に設置された図１の上部水槽５はトイレ用水とシャワー用水に共用されることが多々あるので、シャワー時間の設定が必要となる。
【発明の効果】
【００１８】  プール水を上水試験方法によって検査し、またシアン化物質等の毒物の検査後、図１に示したペリスタルティックポンプ１を廻転して濾過材を付した上部水槽５に送水し、その水量に合わせて、高度サラシ粉の高濃度液製造槽６にて請求項２に記載した濃度になるように製作した高度サラシ粉の高濃度溶液を適量上部水槽５に流下させる。上部水槽５にては、請求項２に記載した攪拌時間だけ攪拌して殺菌を完了後、シャワー室８に送水し、多数非難者のシャワー用水として供給することが出来る。その際、請求項３に記載した如く、ゴーグルの使用が肝要である。
【発明を実施するための最良の形態】
【００１９】  図１の上部水槽５中の高度サラシ粉濃度について、シャワー使用者の目と口にシャワー用水が入ることが実際として起きる。目にはゴーグル着用であるから大丈夫であるが、口とか皮膚に関しては３０ｐｐｍ程度が限界となる。また多数の避難者を考慮して上部水槽での攪拌所要時間は、より短い方がよりシャワー室８の使用効率が上がる。
【実施例１】
【００２０】  上部水槽５での高度サラシ粉濃度を５ｐｐｍ、攪拌時間を２５分とし、シャワー用水として供給する。
【実施例２】
【００２１】  上部水槽５の高度サラシ粉濃度を１０ｐｐｍ、攪拌時間を１５分と短縮してシャワー用水として供給する。
【産業上の利用の可能性】
【００２２】  大震災発生時のため大規模停電、大規模断水の時に本願発明者等による特許第４５８７０２０号「非常時用自転車駆動ペリスタルティックポンプ装置」によって汲み上げられたプール用水が、本願発明によって地方公共団体の大規模避難所のシャワー用水として利用可能となる。
【図面の簡単な説明】
【００２３】
【図１】本発明の一実施形態を示す要部正面図
【図２】高度サラシ粉濃度と従属栄養細菌の殺菌所要時間
【図３】高度サラシ粉濃度と従属栄養細菌の完全死滅所要時間及び２００個／ｍｌ迄減衰所要時間
【符号の説明】
【００２４】１  ペリスタルテックポンプ
２  自転車駆動ポンプ装置の駆動ドラム
３  プール又は河川等の水源
４  自転車支持部材
５  上部水槽
６  高度サラシ粉の高濃度液製造槽
７  濾過材
８  シャワー室
９  排水溝
【図１】
2014104460.tif 000009
【図２】
2014104460.tif 000010
【図３】
2014104460.tif 000011